【手続補正書】
【提出日】平成20年4月30日(2008.4.30)
【手続補正１】
【補正対象書類名】明細書
【補正対象項目名】特許請求の範囲
【補正方法】変更
【補正の内容】
【特許請求の範囲】
【請求項１】  次式Ａ
【化１】
2003535080.tif 000001
［式中、 ａは、１または２を表し、 ａが１を表すとき、Ｅ'はＥを表し、 ａが２を表すとき、Ｅ'はＬを表し、 Ｅは、炭素原子数１ないし３６のアルキル基；炭素原子数３ないし１８のアルケニル基；炭素原子数２ないし１８のアルキニル基；炭素原子数５ないし１８のシクロアルキル基；炭素原子数５ないし１８のシクロアルケニル基；７ないし１２個の炭素原子の飽和または不飽和脂肪族二環式または三環式炭化水素の基；ハロゲン原子、炭素原子数１ないし８のアルコキシ基またはフェノキシ基により置換された炭素原子数２ないし７のアルキル基または炭素原子数３ないし７のアルケニル基；炭素原子数４ないし１２のヘテロシクロアルキル基；炭素原子数４ないし１２のヘテロシクロアルケニル基；炭素原子数７ないし１５のアラルキル基または炭素原子数４ないし１２のヘテロアラルキル基であって、その各々は未置換であるかまたは炭素原子数１ないし４のアルキル基またはフェニル基により置換された基を表すか、またはＥは、次式ＶＩＩまたはＶＩＩＩ
【化２】
2003535080.tif 000002
で表される基を表し、ここで Ａｒは、炭素原子数６ないし１０のアリール基または炭素
原子数５ないし９のヘテロアリール基を表し、 Ｘは、フェニル基、ナフチル基またはビ
フェニル基であって、１、２、３または４個のＤにより置換され、また所望によりＮＯ2
、ハロゲン原子、アミノ基、ヒドロキシ基、シアノ基、カルボキシ基、炭素原子数１ないし４のアルコキシ基、炭素原子数１ないし４のアルキルチオ基、炭素原子数１ないし４のアルキルアミノ基またはジ（炭素原子数１ないし４のアルキル）アミノ基によりさらに置
換された基を表し、 Ｄは、基
【化３】
2003535080.tif 000003
基Ｃ（Ｏ）−Ｇ13または基Ｃ（Ｏ）−Ｇ9−Ｃ（Ｏ）−Ｇ13を表し、 Ｇ1およびＧ2は、互いに独立して、水素原子、ハロゲン原子、ＮＯ2、シアノ基、−ＣＯＮＲ5Ｒ6、−（Ｒ9）ＣＯＯＲ4、−Ｃ（Ｏ）−Ｒ7、−ＯＲ8、−ＳＲ8、−ＮＨＲ8、−Ｎ（Ｒ18）2、カルバモイル基、ジ（炭素原子数１ないし１８のアルキル）カルバモイル基、−Ｃ（＝ＮＲ5）（
ＮＨＲ6）、炭素原子数１ないし１８のアルキル基；炭素原子数３ないし１８のアルケニ
ル基；炭素原子数３ないし１８のアルキニル基、炭素原子数７ないし９のフェニルアルキル基、炭素原子数３ないし１２のシクロアルキル基または炭素原子数２ないし１２のヘテロシクロアルキル基；ＯＨ、ハロゲン原子、ＮＯ2、アミノ基、シアノ基、カルボキシ基
、ＣＯＯＲ21、Ｃ（Ｏ）−Ｒ22、炭素原子数１ないし４のアルコキシ基、炭素原子数１ないし４のアルキルチオ基、炭素原子数１ないし４のアルキルアミノ基またはジ（炭素原子数１ないし４のアルキル）アミノ基または基−Ｏ−Ｃ（Ｏ）−Ｒ7により置換された炭素
原子数１ないし１８のアルキル基または炭素原子数３ないし１８のアルケニル基または炭素原子数３ないし１８のアルキニル基または炭素原子数７ないし９のフェニルアルキル基、炭素原子数３ないし１２のシクロアルキル基または炭素原子数２ないし１２のヘテロシクロアルキル基；少なくとも一つのＯ原子および／またはＮＲ5基により中断された炭素
原子数２ないし１８のアルキル基を表すか、または炭素原子数６ないし１０のアリール基、または炭素原子数１ないし４のアルキル基、炭素原子数１ないし４のアルコキシ基、炭素原子数１ないし４のアルキルチオ基、ハロゲン原子、シアノ基、ヒドロキシ基、カルボキシ基、ＣＯＯＲ21、Ｃ（Ｏ）−Ｒ22、炭素原子数１ないし４のアルキルアミノ基またはジ（炭素原子数１ないし４のアルキル）アミノ基により置換されたフェニル基またはナフチル基を表すか、またはＧ1およびＧ2は、結合する炭素原子と一緒になって、炭素原子数３ないし１２のシクロアルキル基を形成し、 Ｇ5およびＧ6は、互いに独立して、Ｈまた
はＣＨ3を表し、 Ｇ9は、炭素原子数１ないし１２のアルキレン基または直接結合を表し
、 Ｇ13は、炭素原子数１ないし１８のアルキル基を表し、 Ｇ14は、炭素原子数１ないし１８のアルキル基、炭素原子数５ないし１２のシクロアルキル基、２ないし１８個の炭素原子を含む脂肪族または不飽和脂肪族カルボン酸またはカルバミン酸のアシル基、７ないし１２個の炭素原子を含む環式脂肪族カルボン酸またはカルバミン酸のアシル基、または７ないし１５個の炭素原子を含む芳香族酸のアシル基を表し、 Ｇ55は、Ｈ、ＣＨ3またはフェニル基を表し、 Ｇ66は、−ＣＮまたは次式−ＣＯＯＲ4または−ＣＯＮＲ5Ｒ6または−ＣＨ2−Ｏ−Ｇ14で表される基を表し、 Ｌは、１ないし１８個の炭素原子のアルキレン基、５ないし８個の炭素原子のシクロアルキレン基、５ないし８個の炭素原子のシクロアルケニレン基、３ないし１８個の炭素原子のアルケニレン基、フェニル基によりまたは１ないし４個の炭素原子のアルキル基により置換されたフェニル基により置換された１ないし１２個の炭素原子のアルキレン基を表すか、またはＣＯＯおよび／またはフェニレン基により中断された４ないし１８個の炭素原子のアルキレン基を表し、 Ｔ'は、炭素原子数４ないし１８の第三アルキル基またはフェニル基であって、その各々が未置換であるかまたはハロゲン原子、ＯＨ、ＣＯＯＲ21またはＣ（Ｏ）−Ｒ22により置換された基を表すか、またはＴ'は、炭素原子数５ないし１２のシクロアルキル基；少なくとも一つのＯまた
は−ＮＲ18−により中断された炭素原子数５ないし１２のシクロアルキル基；７ないし１８個の炭素原子を有する多環式アルキル基、または少なくとも一つのＯまたは−ＮＲ18−により中断された同一の基を表すか、またはＴ'は、−Ｃ（Ｇ1）（Ｇ2）−Ｔ"；または
【化４】
2003535080.tif 000004
により置換された炭素原子数１ないし１８のアルキル基または炭素原子数５ないし１２のシクロアルキル基を表し、 Ｔ"は、水素原子、ハロゲン原子、ＮＯ2、シアノ基を表すか
、または１ないし５０個の炭素原子を含む一価有機基を表すか、または Ｔ"およびＴ'は
、一緒になって、二価有機結合基を形成して、立体障害アミン窒素原子およびＧ1および
Ｇ2により置換された第四炭素原子と一緒になって、所望により置換された五−または六
員環構造を完成し、そして Ｒ4は、水素原子、炭素原子数１ないし１８のアルキル基、フェニル基、アルカリ金属カチオンまたはテトラアルキルアンモニウムカチオンを表し、 
Ｒ5およびＲ6は、水素原子、炭素原子数１ないし１８のアルキル基、ヒドロキシ基により置換された炭素原子数２ないし１８のアルキル基を表すか、または一緒になって、炭素原子数２ないし１２のアルキレン架橋またはＯまたは／およびＮＲ18により中断された炭素原子数２ないし１２のアルキレン架橋を形成し、 Ｒ7は、水素原子、炭素原子数１ないし１８のアルキル基または炭素原子数６ないし１０のアリール基を表し、 Ｒ8は、水素原子、炭素原子数１ないし１８のアルキル基または炭素原子数２ないし１８のヒドロキシアルキル基を表し、 Ｒ9は、炭素原子数１ないし１２のアルキレン基または直接結合を表し、
Ｒ18は、炭素原子数１ないし１８のアルキル基またはフェニル基であって、未置換であ
るかまたはハロゲン原子、ＯＨ、ＣＯＯＲ21またはＣ（Ｏ）−Ｒ22により置換された基を表し、 Ｒ21は、水素原子、アルカリ金属原子または炭素原子数１ないし１８のアルキル
基を表し、そして Ｒ22は、炭素原子数１ないし１８のアルキル基を表す。］で表される
アミンエーテルの生成方法であって、次式Ｂ
【化５】
2003535080.tif 000005
で表されるＮ−オキシルアミンを、次式ＩＶまたはＶ
【化６】
2003535080.tif 000006
で表される化合物と、有機ヒドロペルオキシドおよび触媒量の銅または銅化合物の存在下で反応させることからなる方法。
【請求項２】  式Ａで表される化合物は、次式ＩまたはＩＩ
【化７】
2003535080.tif 000007
［式中、 Ｇ1、Ｇ2、Ｇ3およびＧ4は、互いに独立して、炭素原子数１ないし１８のアル
キル基；炭素原子数３ないし１８のアルケニル基；炭素原子数３ないし１８のアルキニル基；ＯＨ、ハロゲン原子または基−Ｏ−Ｃ（Ｏ）−Ｒ5により置換された炭素原子数１な
いし１８のアルキル基または炭素原子数３ないし１８のアルケニル基または炭素原子数３ないし１８のアルキニル基；少なくとも一つのＯ原子および／またはＮＲ5基により中断
された炭素原子数２ないし１８のアルキル基を表すか、または炭素原子数３ないし１２のシクロアルキル基、または炭素原子数６ないし１０のアリール基を表すか、またはＧ1お
よびＧ2および／またはＧ3およびＧ4は、結合する炭素原子と一緒になって、炭素原子数
３ないし１２のシクロアルキル基を形成し、 ａは、１または２を表し、 ａが１を表すとき、Ｅ'はＥを表し、ここでＥは、炭素原子数１ないし３６のアルキル基；炭素原子数２
ないし１８のアルケニル基；炭素原子数２ないし１８のアルキニル基；炭素原子数５ないし１８のシクロアルキル基；炭素原子数５ないし１８のシクロアルケニル基；７ないし１２個の炭素原子の飽和または不飽和脂肪族二環式または三環式炭化水素の基；ハロゲン原子により置換された炭素原子数２ないし７のアルキル基または炭素原子数３ないし７のアルケニル基；炭素原子数７ないし１５のアラルキル基または炭素原子数１ないし４のアルキル基またはフェニル基により置換された炭素原子数７ないし１５のアラルキル基を表すか、またはＥ'は、次式ＶＩＩ
【化８】
2003535080.tif 000008
で表される基を表し、ここで Ｘは、フェニル基、ナフチル基またはビフェニル基であっ
て、１、２、３または４個のＤにより置換され、また所望によりＮＯ2、ハロゲン原子、
アミノ基、ヒドロキシ基、シアノ基、カルボキシ基、炭素原子数１ないし４のアルコキシ基、炭素原子数１ないし４のアルキルチオ基、炭素原子数１ないし４のアルキルアミノ基またはジ（炭素原子数１ないし４のアルキル）アミノ基によりさらに置換された基を表し、 Ｄは、基
【化９】
2003535080.tif 000009
基Ｃ（Ｏ）−Ｇ13または基Ｃ（Ｏ）−Ｇ9−Ｃ（Ｏ）−Ｇ13を表し、 ａが２を表すとき、Ｅ'はＬを表し、 Ｇ5およびＧ6は、互いに独立して、ＨまたはＣＨ3を表し、 Ｇ9は、炭
素原子数１ないし１２のアルキレン基または直接結合を表し、 Ｇ13は、炭素原子数１な
いし１８のアルキル基を表し、 Ｌは、１ないし１８個の炭素原子のアルキレン基、５な
いし８個の炭素原子のシクロアルキレン基、５ないし８個の炭素原子のシクロアルケニレン基、３ないし１８個の炭素原子のアルケニレン基、フェニル基によりまたは１ないし４個の炭素原子のアルキル基により置換されたフェニル基により置換された１ないし１２個の炭素原子のアルキレン基を表し、 Ｔは、式Ｉを完成して、立体障害アミン窒素原子お
よびＧ1およびＧ2またはＧ3およびＧ4により置換された二つの第四炭素原子と一緒になって、五−または六員環構造を形成するに要する二価有機基を表し、 Ｔ1は、水素原子、ハロゲン原子、ＮＯ2、シアノ基、−（Ｒ9）ＣＯＯＲ4、−（Ｒ9）Ｃ（Ｏ）−Ｒ7、−ＯＲ8、未置換の炭素原子数１ないし１８のアルキル基、炭素原子数２ないし１８のアルケニル基、炭素原子数２ないし１８のアルキニル基、炭素原子数７ないし９のフェニルアルキル基、炭素原子数３ないし１２のシクロアルキル基または炭素原子数２ないし１２のヘテロシクロアルキル基を表すか、またはＴ1は、炭素原子数１ないし１８のアルキル基、炭素
原子数２ないし１８のアルケニル基、炭素原子数２ないし１８のアルキニル基、炭素原子数７ないし９のフェニルアルキル基、炭素原子数３ないし１２のシクロアルキル基または炭素原子数２ないし１２のヘテロシクロアルキル基であって、ＮＯ2、ハロゲン原子、ヒ
ドロキシ基、シアノ基、カルボキシ基、炭素原子数１ないし６のアルカノイル基、炭素原子数１ないし１２のアルコキシ基によって置換された基；またはフェニル基、ナフチル基であって、未置換であるかまたは炭素原子数１ないし４のアルキル基、炭素原子数１ないし４のアルコキシ基、炭素原子数１ないし４のアルキルチオ基、ハロゲン原子、シアノ基、ヒドロキシ基、カルボキシ基により置換された基を表すか、またはＴ1は、残基−ＣＨ2−Ｏ−Ｒ10または−ＣＨ2−ＮＲ18−Ｒ10または−Ｃ（＝ＣＨ2）−Ｒ11または−Ｃ（＝Ｏ）−Ｒ12を表し、 Ｔ2は、炭素原子数４ないし１８の第三アルキル基またはフェニル基であって、未置換であるかまたはハロゲン原子、ＯＨ、ＣＯＯＲ21またはＣ（Ｏ）−Ｒ22により置換された基を表すか、またはＴ2は、炭素原子数５ないし１２のシクロアルキル基
；少なくとも一つのＯにより中断された炭素原子数５ないし１２のシクロアルキル基；７ないし１８個の炭素原子を有する多環式アルキル基または少なくとも一つのＯ原子により中断された同一の基を表すか、またはＴ2は、−Ｃ（Ｇ1）（Ｇ2）−Ｔ1、または
【化１０】
2003535080.tif 000010
を表し、 Ｒ4は、水素原子、炭素原子数１ないし１８のアルキル基、フェニル基、アルカリ金属カチオンまたはテトラアルキルアンモニウムカチオンを表し、 Ｒ5は、水素原子、炭素原子数１ないし１８のアルキル基または炭素原子数６ないし１０のアリール基を表し、 Ｒ7は、水素原子、炭素原子数１ないし１８のアルキル基またはフェニル基を表し、 
Ｒ8は、水素原子、炭素原子数１ないし１８のアルキル基または炭素原子数２ないし１８
のヒドロキシアルキル基を表し、 Ｒ9は、炭素原子数１ないし１２のアルキレン基または直接結合を表し、 Ｒ10は、水素原子、ホルミル基、炭素原子数２ないし１８のアルキル
カルボニル基、ベンゾイル基、炭素原子数１ないし１８のアルキル基、炭素原子数５ないし１２のシクロアルキル基、ＯまたはＮＲ18により中断された炭素原子数５ないし１２のシクロアルキル基を表すか、または未置換であるかまたはハロゲン原子、ＯＨ、ＣＯＯＲ21またはＣ（Ｏ）−Ｒ22により置換されたベンジル基またはフェニル基を表し、 Ｒ11は
、ＯＨ、炭素原子数１ないし１８のアルコキシ基、ベンジルオキシ基、Ｏ−Ｃ（Ｏ）−（炭素原子数１ないし１８のアルキル）基、Ｎ（Ｒ18）2、または基Ｃ（Ｏ）Ｒ25を表し、 Ｒ12は、ＯＨ、Ｏ（アルカリ金属原子）基、炭素原子数１ないし１８のアルコキシ基、ベンジルオキシ基、Ｎ（Ｒ18）2を表し、 Ｒ18は、炭素原子数１ないし１８のアルキル基ま
たは炭素原子数２ないし１８のヒドロキシアルキル基を表し、 Ｒ21は、水素原子、アル
カリ金属原子または炭素原子数１ないし１８のアルキル基を表し、そして Ｒ22は、炭素
原子数１ないし１８のアルキル基を表し、 Ｒ25は、ＯＨ、炭素原子数１ないし１８のア
ルコキシ基、ベンジルオキシ基、Ｎ（Ｒ18）2を表す。］に対応し、前記方法は、次式Ｉ
ＩＩまたはＩＩＩａ
【化１１】
2003535080.tif 000011
で表されるＮ−オキシル立体障害アミンを、次式ＩＶまたはＶ
【化１２】
2003535080.tif 000012
で表される化合物と、有機ヒドロペルオキシドおよび触媒量の銅または銅化合物の存在下で反応させることからなる、請求項１記載の方法。
【請求項３】  前記反応は相転移触媒の存在下で行われる、請求項１又は２記載の方法。
【請求項４】  前記触媒は、適した溶媒中に溶解された無機Ｃｕ（Ｉ）またはＣｕ（ＩＩ）化合物から形成される、請求項１記載の方法。
【請求項５】  形成された生成物は、次式
【化１３】
2003535080.tif 000013
［式中、 Ｇ1、Ｇ2、Ｇ3およびＧ4は、他と互いに独立して、炭素原子数１ないし１８の
アルキル基；炭素原子数３ないし１８のアルケニル基；炭素原子数３ないし１８のアルキニル基；ＯＨ、ハロゲン原子または基−Ｏ−Ｃ（Ｏ）−Ｒ5により置換された炭素原子数
１ないし１８のアルキル基または炭素原子数３ないし１８のアルケニル基または炭素原子数３ないし１８のアルキニル基；Ｏにより中断された炭素原子数２ないし１８のアルキル基；炭素原子数５ないし１２のシクロアルキル基；またはフェニル基を表すか、またはＧ1およびＧ2および／またはＧ3およびＧ4は、結合する炭素原子と一緒になって、炭素原子
数５ないし１２のシクロアルキル基を形成し、 Ｚ1は、ＯまたはＮＲ8を表し、 Ｒ8は、
水素原子、ＯＨ、炭素原子数１ないし１８のアルキル基、炭素原子数３ないし１８のアルケニル基、炭素原子数３ないし１８のアルキニル基、一つまたはそれより多いＯＨ、ハロゲン原子または基−Ｏ−Ｃ（Ｏ）−Ｒ5により置換された炭素原子数１ないし１８のアル
キル基、炭素原子数３ないし１８のアルケニル基、炭素原子数３ないし１８のアルキニル基、少なくとも一つのＯ原子および／またはＮＲ5基により中断された炭素原子数２ない
し１８のアルキル基、炭素原子数３ないし１２のシクロアルキル基または炭素原子数６ないし１０のアリール基、炭素原子数７ないし９のフェニルアルキル基、炭素原子数５ないし１０のヘテロアリール基、−Ｃ（Ｏ）−炭素原子数１ないし１８のアルキル基、−Ｏ−炭素原子数１ないし１８のアルキル基または−ＣＯＯ炭素原子数１ないし１８のアルキル基を表し、 Ｑは、直接結合または二価基ＣＲ9Ｒ10、ＣＲ9Ｒ10−ＣＲ11Ｒ12、ＣＲ9Ｒ10ＣＲ11Ｒ12ＣＲ13Ｒ14、Ｃ（Ｏ）またはＣＲ9Ｒ10Ｃ（Ｏ）を表し、 Ｒ9、Ｒ10、Ｒ11、
Ｒ12、Ｒ13およびＲ14は、独立して、水素原子、フェニル基または炭素原子数１ないし１８のアルキル基を表し、 Ｔは、ＣＨ2−Ｃ（Ｒ24）（Ｒ25）−ＣＨ2を表し、ここでＲ24
およびＲ25は、一緒になって、＝Ｏを表すか、または独立して、Ｈ、ＯＨまたは有機残基を表し、結合基Ｔは全部で２ないし５００個の炭素原子および所望により酸素原子、リン原子、硫黄原子、ケイ素原子、ハロゲン原子および第三窒素原子より選択された１ないし２００個のヘテロ原子を含むことを特徴とする。］のうちのいずれか一つに対応する、請求項１ないし４のうちのいずれか一項に記載の方法。
【請求項６】  次式ＸＶ、ＸＶＩ、ＸＶＩＩまたはＸＶＩＩＩ
【化１４】
2003535080.tif 000014
［式中、 Ｇ1、Ｇ2およびＧ31は、独立して、メチル基またはエチル基を表し、 Ｇ3は、
炭素原子数２ないし８のアルケニル基；フェニル基、炭素原子数１ないし４のアルキルフェニル基、シクロヘキシル基、炭素原子数１ないし４のアルキルシクロヘキシル基またはＣＯＸ'Ｇ8により置換された炭素原子数２ないし８のアルケニル基を表すか、またはＧ3
は、ＯＧ10を表すか、または全部で３ないし１２個の炭素原子を含む炭素結合五−または六員の未置換であるかまたはアルキル置換されたヘテロ環式残基を表し、そして該残基のヘテロ原子は窒素原子および酸素原子より選択され、 Ｇ4は、Ｇ3について定義されたも
のを表すか、または炭素原子数１ないし１８のアルキル基を表すが、但し、Ｇ3が炭素原
子数２のアルケニル基を表すとき、Ｇ4はメチル基を表さず、またはＧ3およびＧ4は、そ
れらが結合する炭素原子と一緒になって、残基Ｐｈ−ＣＨ−ＣＮを形成するか、または全部で３ないし１２個の炭素原子を含む炭素結合五−または六員の未置換であるかまたはアルキル置換された不飽和ヘテロ環式残基を形成し、該残基のヘテロ原子は窒素原子および
酸素原子より選択され、 Ｇ6は、Ｈ；ＯＨ；ＯＲ3；ＮＲ4Ｒ5；（ＣＯ）Ｒ6を表すか、または次式
【化１５】
2003535080.tif 000015
で表される基を表し、 Ｇ7は、Ｈを表すか、または Ｇ6およびＧ7は、一緒になって、＝
Ｏまたは次式−Ｏ−ＣＨ2−Ｃ（Ｒ1）（Ｒ2）−（ＣＨ2）m−Ｏ−で表される残基を表し
、 Ｇ8は、水素原子または炭素原子数１ないし８のアルキル基または炭素原子数２ないし８のヒドロキシアルキル基を表し、 Ｇ'8は、水素原子または炭素原子数１ないし８のア
ルキル基または炭素原子数２ないし８のヒドロキシアルキル基または炭素原子数２ないし８のアルケニル基を表し、Ｇ10は、炭素原子数１ないし１８のアルキル基；フェニル基または炭素原子数１ないし１２のアルキル基、炭素原子数１ないし１２のアルコキシ基および／またはＯＨ置換されたフェニル基により置換された炭素原子数１ないし１８のアルキル基；フェニル基；炭素原子数１ないし１２のアルキル基、炭素原子数１ないし１２のアルコキシ基、ＯＨにより置換されたフェニル基を表すか、または３ないし１２個の炭素原子を含む炭素結合五−または六員の未置換であるかまたはアルキル置換されたヘテロ環式残基を表し、そして該残基のヘテロ原子は窒素原子および酸素原子より選択され、 Ｇ15
は、Ｈまたはメチル基を表し、 Ｇ16は、ＯＨ；ＯＲ3；ＮＲ4Ｒ5；（ＣＯ）Ｒ6を表すか
、次式
【化１６】
2003535080.tif 000016
で表される基を表し、 Ｇ17は、Ｈを表すか、または Ｇ16およびＧ17は、一緒になって、＝Ｏを表すか、または次式−Ｏ−ＣＨ2−Ｃ（Ｒ1）（Ｒ2）−（ＣＨ2）m−Ｏ−で表され
る残基を表し、 Ｇ18は、Ｈまたはメチル基または＝Ｏを表し、 Ｇ20は、Ｈ、炭素原子数１ないし１８のアルキル基または炭素原子数５ないし１２のシクロアルキル基を表し、 
Ｇ21およびＧ22は、独立して、水素原子、ハロゲン原子、炭素原子数１ないし１２のアルキル基または炭素原子数１ないし１２のアルコキシ基を表し、 Ｇ23は、オキシル基、Ｏ
ＨまたはＯＥを表し、ここでＥは請求項１で定義されたものを表し、 Ｇ24は、メチル基
、エチル基またはフェニル基を表し、 Ｐｈは、フェニル基または炭素原子数１ないし４
のアルキル基、炭素原子数１ないし４のアルコキシ基、ハロゲン原子および／またはニトロ基により置換されたフェニル基を表し、 ｍは、０または１を表し、 Ｒ1は、水素原子
、炭素原子数１ないし４のアルキル基、ヒドロキシル基またはヒドロキシメチル基を表し、 Ｒ2は、水素原子、１ないし１２個の炭素原子のアルキル基または２ないし１２個の炭素原子のアルケニル基を表し、 Ｒ3は、１ないし１８個の炭素原子のアルキル基、４ないし１８個の炭素原子のアルコキシカルボニルアルキレンカルボニル基、２ないし１８個の炭素原子のアルケニル基、グリシジル基、２，３−ジヒドロキシプロピル基、２−ヒドロキシまたは２−（ヒドロキシメチル）置換された３ないし１２個の炭素原子のアルキル基であって、そのアルキル基が酸素原子によって中断された基、２ないし１８個の炭素原子を含む脂肪族または不飽和脂肪族カルボン酸またはカルバミン酸のアシル基、７ないし１２個の炭素原子を含む環式脂肪族カルボン酸またはカルバミン酸のアシル基、または７ないし１５個の炭素原子を含む芳香族酸のアシル基を表し、 Ｒ4は、水素原子、１ないし１
８個の炭素原子のアルキル基または２ないし６個の炭素原子のアシル基を表し、 Ｒ5は、水素原子、１ないし１８個の炭素原子のアルキル基、２ないし１８個の炭素原子を含む脂肪族または不飽和脂肪族カルボン酸またはカルバミン酸のアシル基、７ないし１２個の炭素原子を含む環式脂肪族カルボン酸またはカルバミン酸のアシル基、７ないし１５個の炭素原子を含む芳香族カルボン酸のアシル基を表すか、またはＲ4およびＲ5は、一緒になって、（ＣＨ2）5ＣＯ−、フタロイル基またはマレイン酸の二価アシル基を表し、 Ｒ6は、１ないし１８個の炭素原子のアルコキシ基、２ないし１８個の炭素原子のアルケニルオキシ基、１ないし１８個の炭素原子の−ＮＨアルキル基または２ないし３６個の炭素原子の−Ｎ（アルキル）2基を表し、 Ｒ7およびＲ8は、独立して、塩素原子、１ないし１８個の炭素原子のアルコキシ基、２−ヒドロキシエチル基により置換されたアミノ基、１ないし１８個の炭素原子の−ＮＨ（アルキル）基、または２ないし３６個の炭素原子の−Ｎ（アルキル）2基を表し、 Ｒ9は、酸素原子を表すか、またはＲ9は、水素原子または１ないし１２個の炭素原子のアルキル基により置換された窒素原子を表し、 Ｒ13は、水素原子に
より、フェニル基により、１ないし４個の炭素原子のアルキル基によりまたは１ないし４個の炭素原子のアルコキシ基により３回独立して置換されたシリル基またはシリルオキシ基を表し、 Ｒ30は、Ｈ、炭素原子数１ないし１８のアルキル基、炭素原子数５ないし１
２のシクロアルキル基、炭素原子数３ないし１８のアルコキシアルキル基を表し、 Ｘ'は、ＯまたはＮＧ8を表し、 Ｙ−Ｚは、＞Ｃ（Ｇ17）Ｇ16またはＯまたは＞Ｎ−Ｒ30を表す。］で表される化合物。
【請求項７】  有機材料を難燃化または光、酸素および／または熱による崩壊に対して安定化する方法であって、前記材料にアミンエーテルを適用または混入することからなり、該アミンエーテルは請求項６記載の式ＸＶ、ＸＶＩ、ＸＶＩＩおよび／またはＸＶＩＩＩで表されることを特徴とする方法。
【請求項８】  Ａ）酸化、熱および／または化学線崩壊を受け易い有機材料、およびＢ）安定剤として請求項６記載の式ＸＶ、ＸＶＩ、ＸＶＩＩおよび／またはＸＶＩＩＩで表される少なくとも一種の化合物を含む組成物。
【請求項９】  ａ）少なくとも一種のエチレン性不飽和モノマーまたはオリゴマー、およびｂ）重合調節剤として請求項６記載のＸＶ、ＸＶＩ、ＸＶＩＩおよび／またはＸＶＩＩＩで表される少なくとも一種の化合物を含む重合性組成物。